(57)【要約】【課題】スカーフの耐久性と装着性並びに経済性を高めつつ、多様な装飾形態を楽しめるようにする。【解決手段】  帯状の布地３，４を縫い合わせてスカーフ本体２を形成する。スカーフ本体２の一側縁２ａの一端部２ｃ寄りにループ５を設ける。ループ５の内側をスカーフ本体２の角部２ｇ，２ｇを挿通するための通し孔７とする。ループ５を、スカーフ本体２の他側縁２ｂの一端部２ｃである角部２ｇから、スカーフ本体２全長の１／４〜１／５の位置に設ける。【選択図】図１
2005163248.tif 000002
【特許請求の範囲】
【請求項１】
帯状の布地をスカーフ本体とし、該スカーフ本体の一側縁の一端部寄りにループを設けて、該ループの内側を前記スカーフ本体の角部を挿通するための通し孔となすとともに、該ループを、スカーフ本体の他側縁の一端部側端から、スカーフ本体全長の１／４〜１／５の位置に配設したことを特徴とするスカーフ。
【請求項２】
前記ループは、布地を細帯状に形成して、前記スカーフ本体の一側縁に付設されていることを特徴とする請求項１に記載のスカーフ。
【請求項３】
前記ループが、前記スカーフ本体の長手方向には長く、スカーフ本体の幅方向には短く形成されていることを特徴とする請求項１または２に記載のスカーフ。
【請求項４】
前記スカーフ本体の両端部は、それぞれ他側縁の角部から一側縁へ向けて、スカーフ本体の幅方向中心線寄りに傾斜していることを特徴とする請求項１〜３のいずれかに記載のスカーフ。
【請求項５】
前記スカーフ本体は、色及び／または柄の異なる二枚の布地を縫い合わせて構成されていることを特徴とする請求項１〜４のいずれかに記載のスカーフ。
【発明の詳細な説明】
【技術分野】
【０００１】  本発明は、首や頭部に巻きつけて使用するスカーフであって、詳しくは、多様な装飾形態を楽しむことができるようにしたスカーフに関する。
【背景技術】
【０００２】  スカーフは、マフラーや肩掛け布に較べて汎用性が高く、かつファッション性に富むため、材料にはシルクや綿，麻といった様々な布地が用いられ、また形状も正方形や長方形，三角形といったものがあるが、このような従来のスカーフでは色柄は豊かではあるが、身にまとった際の装飾形態には限度がある。【０００３】  一方、防寒を目的としたマフラーには、横長方形の一端部寄り中央にスリットを長手方向に沿って設けたものがある。このマフラーは、使用者が首に巻いた際に両端部を胸の前に垂らし、一端部側のスリットに他端部側を挿通して、両端部をまとめ合わせることにより、マフラーの装着状態を保持するようにしている。【０００４】  また、肩掛け布としては、横長四角形状の布本体の四隅と、この布本体の左右両端より一定の距離をおいた内側の上下端に、複数の留め具を設けたものがあり、これら留め具の組み合わせを適宜変えることにより、各種の使用形態を楽しむことができるとしている（例えば、特許文献１参照）。
【特許文献１】特開２００２−３８３２３号公報
【発明の開示】
【発明が解決しようとする課題】
【０００５】  しかしながら、前者のマフラーは、スリットに他端部側を挿通するだけの単純な使用形態に限られ、その他のバリエーションがないためにファッション性に劣るという欠点がある。また、マフラーの他端部側をスリットに挿通させて形状を絞り変形させるのに対して、スリットを形成した一端部側は、だらりと幅広に垂れ下がるアンバランスな態様となるため、ファッション性に劣る。さらに、防寒具という使用目的から、厚手の布地を用いるためにスリットを大きく形成しなければならず、デザイン的にはスリットばかりが目立つものとなって見栄えのよいものではなかった。【０００６】  また後者の肩掛け布では、多用途に変化できるという実用性はあるものの、装飾的な形態を楽しむことはできない。また、留め具にスナップやボタン，面ファスナーを用いるため、肩掛け布を身にまとった場合には、使用者の肌に留め具が触れて不快感を与えたり、金属アレルギーを招く場合といったもあり、さらに布に負荷を与えて損耗を早める原因となる。【０００７】  本発明は、かかる実情を背景にしてなされたもので、その目的とするところは、耐久性と装着性並びに経済性を高めつつ、多様な装飾形態を楽しむことのできるデザイン性に優れたスカーフを提供することを目的としている。
【課題を解決するための手段】
【０００８】  本発明のスカーフは、帯状の布地をスカーフ本体とし、該スカーフ本体の一側縁の一端部寄りにループを設けて、該ループの内側を前記スカーフ本体の角部を挿通するための通し孔となすとともに、該ループを、スカーフ本体の他側縁の一端部側端から、スカーフ本体全長の１／４〜１／５の位置に配設したことを特徴としている。【０００９】  前記ループは、布地を細帯状に形成して、前記スカーフ本体の一側縁に付設することもできる。また、ループの形状を、スカーフ本体の長手方向には長く、スカーフ本体の幅方向には短く形成してもよい。スカーフ本体の両端部は、それぞれ他側縁の角部から一側縁へ向けて、スカーフ本体の幅方向中心線寄りに傾斜していてもよい。さらにスカーフ本体を、色及び／または柄の異なる二枚の布地を縫い合わせて構成することもできる。
【発明の効果】
【００１０】  本発明のスカーフは、簡単な構成で耐久性と装着性並びに経済性を高めつつ、多様な装飾形態に変化できて様々なファッションを楽しむことができる。また、先行技術のマフラーに較べると、使用時の見栄えがよくなってファッション性に優れる。さらに、多数の留め具を用いた先行技術の肩掛け布と較べると、スカーフ本体にループを１つ設けるだけで済むので、仕掛かりコストを低く抑えることができて経済性と製作性に優れ、しかも留め具を用いないので、使用者に不快感を与えたり、金属アレルギーを招いたり、布に負荷を与えて損耗を早めたりすることがない。【００１１】  また、布地を細帯状に形成して、スカーフ本体の一側縁外側に付設することにより、スカーフ本体そのものに損傷を生じる虞が少なく、耐久性を高めるとともに、ファッション性に優れた装飾形態が得られる。さらに、ループには、スカーフ本体と同様に薄手の布地を用いることができるので、スカーフ本体との一体感がある。またループを、スカーフ本体の長手方向には長く、スカーフ本体の幅方向には短く形成することにより、スカーフを装着した際の形態が自然で違和感がない。【００１２】  さらに、スカーフ本体の両端部をテーパ状にすることにより、スカーフ本体の角部をループに差し入れし易くなるので利便性に優れ、しかも使用時には、スカーフ本体の角部が細長くスマートに見えて、より美観が増す。またスカーフ本体を、色と柄のいずれか一方または双方異なる二枚の布地で形成することにより、より豊かなファッションが楽しめるようになる。
【発明を実施するための最良の形態】
【００１３】  以下、本発明の形態例を図面に基づいて説明する。図中、図１はスカーフの全体図、図２〜図１１はそれぞれ図１のスカーフを用いた使用形態を説明する図である。【００１４】  スカーフ１は、二枚の布地３，４を縫い合わせて形成される帯状のスカーフ本体２と、該スカーフ本体２の一側縁２ａに付設されるループ５とからなっている。スカーフ本体２は、前記一側縁２ａと、該一側縁２ａと平行で且つこれよりもやや長い他側縁２ｂと、これら両側縁２ａ，２ｂの両端をつなぐ一端部２ｃと他端部２ｄとの細長い台形に形成されている。【００１５】  一端部２ｃと他端部２ｄは、他側縁２ｂ両端の角部２ｇ，２ｈから一側縁２ａに向けて、スカーフ本体２の幅方向中心線ＣＬ１側に傾斜しており、これによって、一側縁２ａ両端の２つの角部２ｅ，２ｆがそれぞれ鈍角となり、また他側縁２ｂ両端の２つの角部２ｇ，２ｈがそれぞれ鋭角となっている。スカーフ本体２の具体的な大きさとしては、例えば、スカーフ本体２の全長となる他側縁２ｂの長さを１０００ｍｍとした場合に、一側縁２ａの長さを８５０ｍｍとし、両側縁２ａ，２ｂ間の幅を１５０ｍｍに形成する。【００１６】  布地３，４には、色や柄の異なるシルクや麻，化繊，綿を始めとする薄手のものが用いられる。好ましくは、適度な張りと摩擦力を持つ布地を使用すると、ループ５に差し込んだスカーフ本体２の一部が抜けにくくなり、またリボン等の装飾の形を維持するにも適している。したがって、布地にシルクを用いる場合には、しなやかで光沢のあるものよりも適度な摩擦力と張りを持つ、例えばラオスシルク等が好ましい。このスカーフ本体２を製作する場合には、布地３，４を重ね合わせて、まず三方の外周縁を先に縫い、次にこれを裏返しにして、残りの一方の外周縁を縫い綴じすることにより、スカーフ本体２が袋状に形成される。【００１７】  前記ループ５は、布地３，４と同じ二種類のものを布地３，４と同様の袋状に縫い合わせて、湾曲した細長い帯状に形成し、その色柄を布地３，４に合わせて、両端を一側縁２ａに縫いつける。これにより、ループ５が、スカーフ本体２の長手方向には長く、またスカーフ本体２の幅方向には短い形状でスカーフ本体２に取り付けられる。この取り付けにより、ループ５の内側には、円形の一部を抜き取った形状の通し孔６が形成され、スカーフ本体長手方向に長い形状によって、スカーフ本体２の一端部２ｃ側と他端部２ｄ側のいずれか一方または双方の挿通を容易にし、またスカーフ本体幅方向の狭い形状により、通し孔６に差し込まれた部分がいたずらに膨らむのを防止している。【００１８】    なお、ループ５を上述のように円弧状に形成する場合に、バイアスにカットした２枚の短冊状の布地を、スカーフ本体２と同様に袋状に縫い合わせてこれを反転させると、上述の湾曲形状が自然に得られる。したがって、縫い合わせ前の布地を円弧状に裁断する必要はなく、また縫い合わせも直線的に簡便に行えるので、作業的，経済的効果が高い。【００１９】  またループ５は、前記幅方向中心線ＣＬ１から、スカーフ本体２の一端部２ｃ寄りに変位して設けられる。この取り付け位置は、使用者がスカーフ１を首に余裕を持って巻くことができ、また首や顔の動きに支��なく胸の前辺りにリボン等の装飾を自然に配置するためのもので、使用者の一般的な首周りや、装飾の適度な大きさ、また数種類の装飾を作るのに適当な長さを勘案すると、ループ５の中心線ＣＬ２から他側縁２ｂの角部２ｇまでの長さＬ１を、スカーフ本体２の長さの１／４〜１／５の範囲とすることがよい。なお、本形態例では、スカーフ本体２の一端部２ｃを傾斜させているため、本発明の請求項１でいうスカーフ本体の他側縁の一端部側端は、本形態例では角部２ｇとなる。【００２０】  例えば、スカーフ本体２の各部分を前述の寸法に設定した場合に、スカーフ本体２の全長１０００ｍｍに対して、他側縁２ｂの一端部側端である角部２ｇから、ループ５の中心線ＣＬ２までの長さＬ１を２２０ｍｍ程度とすることがよい。なお、この場合のループ５は、幅寸法６ｍｍ程度の細帯を、スカーフ本体長手方向寸法６０ｍｍ×スカーフ本体幅方向寸法１３ｍｍ程度の大きさの円弧状で取り付けるのが適当である。【００２１】  次に、本形態例のスカーフ１を用いた使用例を、図２〜図１１に基づいて説明する。使用例１の形態の説明では図２〜図４を使用し、使用例２の形態の説明では図２〜図６を使用する。また、使用例３の形態の説明では図２〜図７を使用し、使用例４の形態の説明では図２〜図４と図８，図９を使用し、使用例５の形態の説明では図２，図１０，図１１を使用する。なお、使用例２〜５において、使用例１と重複する部分については詳細な説明を省略にする。また、図によっては符号を付しにくい場合もあるので、図１の全体図も適宜参酌されたい。さらに、各図においては、理解を容易にするためにスカーフを便宜的に首に緩く巻いて表現した。【００２２】  まず、図２〜図４を用いた使用例１では、図２で、スカーフ本体２の中央付近を使用者の首の後ろ側半周に巻いて、スカーフ本体２の両側を胸の前に垂らし、図３で、ループ５側の一方の鋭角な角部２ｇをループ５の通し孔６に通して、スカーフ本体２の一端部２ｃ側をループ５から引き出す。なお、図３に示す形態は、あらかじめスカーフ１を首にかける前に作っておいてもかまわない。次に、図３の矢印Ａのように、スカーフ本体２の他方の鋭角な角部２ｈをループ５の通し孔６に通し、スカーフ本体２の他端部２ｄ側をループ５から引き出すことにより、図４に示す装飾形態を得る。この状態において、ループ５を通したスカーフ本体２の一端部２ｃ側と他端部２ｄ側はそれぞれ木の葉形となり、且つループ５で交差して左右逆に位置し、ループ５の下側で木の葉がハの字状に広がったようなデザインとなる。【００２３】  図２〜図６を用いた使用例２では、前述の図２〜図４の手順を経たのち、図４でループ５から引き出した他端部２ｄ側の鋭角な角部２ｈを、図５の矢印Ｂのようにループ５の通し孔６に再度通し、他端部２ｄ側の半分程度をループ５から一端部２ｃ側の上側に引き出すことにより、図６に示す装飾形態を得る。この状態では、ループ５の片側がリング状となり、その反対側に２枚の木の葉が揃ったようなデザインとなる。【００２４】  図２〜図７を用いた使用例３では、前述の図２〜図６の手順を経たのち、図６で下側（使用者側）に位置する一端部２ｃ側を図６の矢印Ｃのように他端部２ｄ側の上側へ回��、他端部２ｄ側の鋭角な角部２ｈをループ５の通し孔６に通して、他端部２ｄ側をループ５から引き出すことにより、図７の装飾形態を得る。この状態では、ループ５の両側にリングと木の葉とが対称に位置したリボンのデザインとなる。【００２５】  図２〜図４と図８，図９を用いた使用例４では、前述の図２〜図４の手順を経たのち、図８に示す矢印Ｄのように、他端部２ｄ側をループ５の下側から該ループ５の使用者側を通って上方へ引き上げる。そして、他端部２ｄ側をループ５の上側から使用者の前方へ引き出すことにより、図９に示すアスコットタイのような装飾形態を得る。【００２６】  図２と図１０，図１１を用いた使用例５では、図２を経たのち、図１０で、スカーフ本体２の一端部２ｃ側を、矢印Ｅのように他端部２ｄ側の下側より使用者側へ回し、さらにこれを上方へ引き上げて、一端部２ｃ側の鋭角な角部２ｇをループ５の通し孔６に通し、一端部２ｃ側の半分程度をループ５から引き出して、図１１に示す装飾形態を得る。この状態では、ループ５の片側がリング状となり、その反対側に２枚の木の葉を交差させたごときデザインとなる。【００２７】  このように、本形態例によれば、簡単な構成のスカーフ１でありながら、使用例１〜５に示す様々な装飾形態が得られる。また、これらの装飾をさらに変化させて、装飾形態を増やすことも可能である。さらに、使用例１〜５で形作られた装飾は、必ずしも使用者の正面に位置させる必要はなく、スカーフ１を左右いずれかに回して装飾を使用者の側部へ位置させることにより、使用例１〜５とは印象の異なったお洒落も楽しめる。【００２８】  なお、前述の形態例では、スカーフ本体を２枚の布地で袋状に形成するので、双方の布地に色や柄の異なるものを用いることにより、より豊かなファッションが楽しめるようになるが、本発明は、スカーフ本体を１枚の布地で形成してもよいことはもちろんである。ループは細帯状に限らす、断面円形であってもよい。また、ループとその内側に形成される通し孔は、形態例以外の円弧状や四角形その他の形状とすることもできる。さらに、スカーフ本体は帯状であればよく、両端部の形態例のように傾斜させなくともよい。例えば、一端縁と他端縁とに直角の直線状であってよいし、あるいは前記形態例と逆の傾斜を持たせたり湾曲したものであってもかまわない。
【図面の簡単な説明】
【００２９】
【図１】  本発明の一形態例を示すスカーフの全体図
【図２】  図１のスカーフを用いた使用形態を説明する図
【図３】  図１のスカーフを用いた使用形態を説明する図
【図４】  図１のスカーフを用いた使用形態を説明する図
【図５】  図１のスカーフを用いた使用形態を説明する図
【図６】  図１のスカーフを用いた使用形態を説明する図
【図７】  図１のスカーフを用いた使用形態を説明する図
【図８】  図１のスカーフを用いた使用形態を説明する図
【図９】  図１のスカーフを用いた使用形態を説明する図
【図１０】  図１のスカーフを用いた使用形態を説明する図
【図１１】  図１のスカーフを用いた使用形態を説明する図
【符号の説明】
【００３０】１…スカーフ
２…スカーフ本体
３，４…布地
５…ループ
６…通し孔
２ａ…一側縁
２ｂ…他側縁
２ｃ…一端部
２ｄ…他端部
２ｅ，２ｆ，２ｇ，２ｈ…角部
ＣＬ１…スカーフ本体２の幅方向中心線
ＣＬ２…ループ５の中心線
Ｌ…ループ５の中心線ＣＬ２から他側縁２ｂの角部２ｇまでの長さ
【図１】
2005163248.tif 000003
【図２】
2005163248.tif 000004
【図３】
2005163248.tif 000005
【図４】
2005163248.tif 000006
【図５】
2005163248.tif 000007
【図６】
2005163248.tif 000008
【図７】
2005163248.tif 000009
【図８】
2005163248.tif 000010
【図９】
2005163248.tif 000011
【図１０】
2005163248.tif 000012
【図１１】
2005163248.tif 000013